(57)【要約】【課題】擦れ音の発生および用紙後端での傷の発生を抑制する。【解決手段】排紙積載装置３０は排紙トレイ部３２の積載面の後端が連結する壁面３４を有し、壁面３４は鉛直な固定壁面４２と中央部の可動壁面３５から成り上部に排紙口３３を有する。排紙口３３から排出される厚手の用紙４３又は薄手の用紙４９は後端部を壁面３４に擦りつけながら排紙トレイ部３２の積載面に自然落下する。薄手の用紙４９を排出するときは通電されたソレノイド３７の退縮する駆動子４４に引かれて可動壁面３５の下部がバネ部材４５の引き付勢力に抗して１０ｍｍ後退し壁面３４の両側の固定壁面４２と４２との間に凹部４８が形成され、薄手の用紙４９の撓んだ後端部が壁面に擦れずに落下し異音を発しない。厚手の用紙４３のときはソレノイド３７に通電なく駆動子４４は自由状態で、可動壁面３５の下部はバネ部材４５に引かれて鉛直な固定壁面４２と同一面に復帰し、厚手の用紙３５の後端部は平面の壁面に擦れて落下しても傷つかない。【選択図】図４
2016183020.tif 000002
【特許請求の範囲】
【請求項１】
排出された被印刷媒体を積載面を有する排紙トレイ部に積載する積載手段と、
前記排紙トレイ部の前記被印刷媒体が接する壁面の一部を前記被印刷媒体の厚さの種類に応じて変形させる変形手段と、
を備えることを特徴とする排紙積載装置。
【請求項２】
前記壁面は、上部に前記被印刷媒体を排出する排出口を備え、前記積載面は前記被印刷媒体の排出方向前端部から前記壁面に連続する後端部まで斜め下がりに形成され、前記排出口より排出された前記被印刷媒体は前記積載面へ自然落下する、
ことを特徴とする請求項１記載の排紙積載装置。
【請求項３】
前記壁面は、固定壁面と可動壁面とで構成され、前記壁面の一部は前記可動壁面である、ことを特徴とする請求項１記載の排紙積載装置。
【請求項４】
前記可動壁面は、上部を前記固定壁面にヒンジで位置固定され、
前記変形手段は、前記可動壁面の下部に連結されたソレノイドと、前記可動壁面の下部に連結され前記ソレノイドの作用方向と逆方向に前記可動壁面の下部を付勢するバネ部材とを有する、
ことを特徴とする請求項３記載の排紙積載装置。
【請求項５】
前記変形手段は、前記厚さの種類が薄手の前記被印刷媒体が使用指定されたとき、前記ソレノイドを起動して前記可動壁面の下部を前記積載面の反対側方向に移動させ、前記厚さの種類が厚手の前記被印刷媒体が使用指定されたとき、前記ソレノイドの起動を停止し前記バネ部材の付勢力により前記可動壁面を前記固定壁面と同面の初期位置に設定する、
ことを特徴とする請求項４記載の排紙積載装置。
【請求項６】
排出された被印刷媒体を積載面を有する排紙トレイ部に積載する積載工程と、
前記排紙トレイ部の前記被印刷媒体が接する壁面の一部を前記被印刷媒体の種類に応じて変形させる変形工程と、
を有することを特徴とする排紙積載方法。
【請求項７】
請求項１乃至５のいずれか１項に記載の排紙積載装置を備えたことを特徴とする印刷装置。
【発明の詳細な説明】
【技術分野】
【０００１】
本発明は、排紙積載装置、排紙積載方法、及び印刷装置に関する。
【背景技術】
【０００２】
従来、複写機、プリンタ、ファクシミリ等の印刷装置がある。これらの印刷装置は、通常、印刷が行われた用紙等のシートを積載する排紙積載装置を備えている。このような排紙台において、排紙台に排出された印刷済みの用紙の先端が排紙台の前部壁に衝突するときに発する騒音を防止ないし緩和するための様々な技術が提案されている。
【０００３】
例えば、用紙の先端がスポンジに当接するように構成したもの、あるいは、用紙の先端が弾性板に当接するように構成したもの等が提案されている。しかし、スポンジや弾性板は用紙が当ったとき用紙を跳ね返す作用が大きく排紙台上の用紙の揃えが悪くなる可能性がある。
【０００４】
この問題を解決するために、排紙台に排出される用紙の先端が当接する排紙台の前部壁に、用紙当接面が非平面形状に形成されたエアバッグを備えたものが提案されている。（例えば、特許文献１参照。）
【先行技術文献】
【特許文献】
【０００５】
【特許文献１】特開２００８−２９７０６１号公報
【発明の概要】
【発明が解決しようとする課題】
【０００６】
しかしながら、印刷装置によっては、排紙台は、排紙される用紙の前端部を排紙台の前端の壁面に突き当てる構成ではなく、排紙口のある排紙台の後端から前端にかけて斜め上がりの斜面を形成し、用紙の自重で用紙の後端を揃えるようにしたものがある。このような構成の排紙台には特許文献１に記載の技術は不要であると考えられる。
【０００７】
ところが、用紙の自重で用紙の後端を揃えるようにしたものは、一般に排紙台の後部壁面は排紙口からほぼ鉛直に形成されているので、この排紙台に用紙の積載を行う際に用紙が薄紙であると、薄紙の撓みによって薄紙の後端の中央部が断続的に後部壁面に接触し、耳障りな擦れ音を発生させるという課題があった。
【０００８】
この擦れ音を防止するために、後部壁面にリブ状の段差を有する部材を配設したものも散在するが、そうすると、厚紙を積載する際に、用紙排出位置の高さが高いために厚紙が自重で落下する際のリブ状の段差に擦れる期間が長く、用紙後端にリブの形状に対応する傷が発生する。
【０００９】
本発明は、上記実情に鑑みて、擦れ音の発生および用紙後端での傷の発生を抑制する。
【課題を解決するための手段】
【００１０】
本発明に係る排紙積載装置は、排出された被印刷媒体を積載面を有する排紙トレイ部に積載する積載手段と、上記排紙トレイ部の上記被印刷媒体が接する壁面の一部を上記被印刷媒体の厚さの種類に応じて変形させる変形手段と、を備えるように構成される。また、本発明に係る印刷装置は、上記の排紙積載装置を備える。
【発明の効果】
【００１１】
本発明は、擦れ音の発生および用紙後端での傷の発生を抑制することができる。
【図面の簡単な説明】
【００１２】
【図１】本発明の実施例１に係る排紙積載装置及び排紙積載方法のプログラムを有するフルカラーの印刷装置（プリンタ）の内部構成を説明する断面図である。
【図２】実施例１に係る排紙積載装置の構成を用紙と共に模式的に示す外観斜視図である。
【図３】(a)は実施例１に係る排紙積載装置の図２に示す初期状態時の側面図、(b)はその平面図である。
【図４】(a)は実施例１に係る排紙積載装置のソレノイドに通電されたときの側面図であり、(b)はその平面図である。
【図５】実施例１に係るプリンタの制御装置を含む回路ブロック図である。
【図６】実施例１に係るプリンタの排紙積載方法のプログラムの制御手順を示すフローチャートである。
【発明を実施するための形態】
【００１３】
以下、本発明の実施の形態について、図面を参照しながら詳細に説明する。なお、以下の説明において、印字と印刷は同義に用いられる。
［実施例１］
【００１４】
図１は、本発明の実施例１に係る排紙積載装置及び排紙積載方法のプログラムを有するフルカラーの印刷装置（以下、単にプリンタ又は装置本体という）の内部構成を説明する断面図である。
【００１５】
図１に示すプリンタ１は、電子写真式でカラー画像を形成するタンデム型中間転写方式の印刷装置であり、印刷部２、転写ベルトユニット３、トナー供給部４、給紙部５、ベルト式定着ユニット６、及び両面印刷用搬送ユニット７で構成されている。しかしながら、印刷装置は、タンデム型中間転写方式に限らず、例えば、用紙に直接トナー像を転写する方式など、他の転写方式であってもよい。
【００１６】
上記印刷部２は、転写ベルトユニット３の転写ベルト８の下部走行面８ａに接して同図の右から左へ４個の現像装置９（９ｋ、９ｃ、９ｍ、９ｙ）を多段式に並設して構成される。
【００１７】
上記４個の現像装置９のうち上流側（図の左側）の３個の現像装置９ｃ、９ｍ及び９ｙは、それぞれ減法混色の三原色であるシアン（Ｃ）、マゼンタ（Ｍ）、イエロー（Ｙ）の色トナーによるモノカラー画像を形成し、現像装置９ｋは、主として文字や画像の暗黒部分等に用いられるブラック（Ｋ）トナーによるモノクロ画像を形成する。
【００１８】
上記の各現像装置９は、画像を現像するトナーの色を除き全て同じ構成である。したがって、以下イエロー（Ｙ）のトナー用の現像装置９ｙを例にしてその構成を説明する。
【００１９】
現像装置９は、最上部に感光体ドラム１０を備えている。この感光体ドラム１０は、その周面が例えば有機光導電性材料で構成されている。この感光体ドラム１０の周面に接して又は近傍を取り巻いて、クリーナ１１、帯電ローラ１２、光書込ヘッド１３、及び現像器１４の現像ローラ１５が配置されている。
【００２０】
転写ベルトユニット３は、本体装置のほぼ中央で図の左右方向に扁平なループ状になって延在する無端状の上述した転写ベルト８と、この転写ベルト８を掛け渡されて転写ベルト８を図の矢印ａで示す反時計回り方向に循環移動させる駆動ローラ１７と従動ローラ１８を備えている。
【００２１】
駆動ローラ１７には、転写ベルト８を介して二次転写ローラ１９が圧接し、ここに搬送されて来る被印刷媒体（以下、単に用紙という）に対し、転写ベルト８上の一次転写トナー像を二次転写する二次転写部を形成している。
【００２２】
上記の転写ベルト８には、一次転写ローラ２１がユニットと一体に組み込まれている。一次転写ローラ２１は感光体ドラム１０に対し、転写ベルト８を挟むように配置されている。一次転写ローラ２１は、下方を循環移動する転写ベルト８の下部走行面８ａにトナー像を直接転写（一次転写）する。
【００２３】
転写ベルト８は、一次転写されたトナー像を更に用紙に転写（二次転写）すべく、上記の二次転写部まで搬送する。また、転写ベルト８の従動ローラ１８に掛け渡されている表面には、転写ベルト８の表面の余剰のトナーを除去するベルトクリーナ２２が配置されている。
【００２４】
トナー供給部４は、転写ベルト８の上部走行面の上方に配置されている４個のトナーカートリッジ１６で構成されている。このトナー供給部４の４個のトナーカートリッジ１６は、それぞれブラック（Ｋ）、シアン（Ｃ）、マゼンタ（Ｍ）、イエロー（Ｙ）のトナーを収容している。
【００２５】
これらのトナーカートリッジ１６は、プリンタ１本体に対し前面方向に、すなわち図の紙面奥行き方向手前側から着脱自在である。トナーカートリッジ１６には図１では断面図のため見えないが、現像装置９にトナーを補給するためのトナー補給口が形成されている。
【００２６】
トナー補給口は、トナーカートリッジ１６がプリンタ１本体に装着されたとき、現像装置９の後方から上に延びだしているトナー補給路に連通し、このトナー補給路を介して現像装置９にトナーを補給する。尚、図１では断面図のため見えないが、トナー補給路は転写ベルトユニット３の後方に回り込んで配置されている。
【００２７】
このトナー供給部４の左方には、ベルトクリーナ２２左方から上方にかけて電装部２３が配設されている。電装部２３には、複数の電子部品からなる制御装置が搭載された回路基盤が装着されている。
【００２８】
給紙部５は、１個の給紙カセット２４を備えている。給紙カセット２４の給紙口（図の右方）近傍には、用紙取出ローラ２５、給送ローラ２６、捌きローラ２７、待機搬送ローラ対２８が配置されている。
【００２９】
待機搬送ローラ対２８の用紙搬送方向（図の鉛直上方向）には、前述した二次転写部が形成されている。この二次転写部の下流（図では上方）側にベルト式定着ユニット６が配置されている。
【００３０】
ベルト式定着ユニット６の更に下流側には、定着後の用紙をベルト式定着ユニット６から搬出する搬出ローラ対２９、及びその搬出される用紙を装置上面に形成されている排紙積載装置３０に排紙する排紙ローラ対３１が配設されている。
【００３１】
排紙積載装置３０は、排紙トレイ部３２を備えている。排紙トレイ部３２の積載面は、用紙の排出方向前端部（図の左側端部）から排紙口３３の下方に離れて位置する後端部まで斜め下がりに形成されている。そして、排紙トレイ部３２の後端部から排紙口３３まで壁面３４が形成されている。
【００３２】
この壁面３４は、全体としては固定壁面として形成されているが、壁面の一部に、詳しくは後述する可動壁面３５が形成されている。可動壁面３５は上端部をヒンジ３６により固定壁面に支持され、下端部をソレノイド３７の駆動子と図示を省略したバネ部材とに連結されている。
【００３３】
両面印刷用搬送ユニット７は、外面（図の右方外側面）がプリンタ１の内部を側面から外部に開放又は遮蔽する開閉部材を兼ねている。
【００３４】
この両面印刷用搬送ユニット７は、排紙ローラ対３１の直前から図の右横方向に分岐する返送開始路３９ａ、それから下方に曲がる返送中間路３９ｂ、更に左横方向に曲がって最終的に返送用紙を反転させる返送終端路３９ｃを有する返送路３９を備えている。
【００３５】
また、返送路３９の途中には、５組の返送ローラ対４１（４１ａ、４１ｂ、４１ｃ、４１ｄ、４１ｅ）が配置されている。上記返送終端路３９ｃの出口は、給紙部５の給紙カセット２４に対応する待機搬送ローラ対２８への搬送路に合流している。
【００３６】
図２は、排紙積載装置３０の構成を用紙と共に模式的に示す外観斜視図である。なお、図２には、図１と同一の構成部分には図１と同一の番号を付与して示している。図２に示すように、排紙積載装置３０において、排紙トレイ部３２の積載面の後端は、壁面３４の下部に連結している。
【００３７】
壁面３４は、鉛直な固定壁面４２と中央部の初期状態時では鉛直な可動壁面３５から成り、上部に排紙口３３を備えている。また、排紙トレイ部３２の積載面は、排紙口３３から排出される用紙（図では厚手の用紙を示している）４３の排出方向前端部から壁面３４に連続する後端部まで斜め下がりに形成されている。
【００３８】
排紙口３３から排出された用紙４３は、後端部を壁面３４に擦りつけながら矢印ｂで示すように排紙トレイ部３２の積載面に自然落下する。積載面が用紙排出方向前端部から壁面３４に連続する後端部まで斜め下がりであるので、自然落下した用紙４３は自動的に後端部を揃えて積載される。
【００３９】
図３(a)は、排紙積載装置３０の図２に示す初期状態時の側面図であり、図３(b)はその平面図である。なお、図３(a),(b)には図１、図２と同一の構成部分には図１、図２と同一の番号を付与して示している。
【００４０】
図３(a)に示すように、可動壁面３５は、上部を固定壁面４２にヒンジ３６によって位置固定されている。可動壁面３５の下部には、変形手段としてのソレノイド３７の駆動子４４とバネ部材４５が可動壁面３５の下部に連結されている。
【００４１】
ソレノイド３７本体には、後述する制御装置のソレノイド駆動部に接続されている配線４６が接続されている。ソレノイド３７が通電により駆動されると駆動子４４がソレノイド３７本体内に引き込まれて矢印ｃで示す方向に退縮する。
【００４２】
その退縮の分、可動壁面３５の下部が矢印ｃ方向に引かれて可動壁面３５全体がヒンジ３６を支点にして反時計回り方向に回動する。この回動方向つまりソレノイド３７の作用方向とは逆の矢印ｄ方向に可動壁面３５の下部を付勢するようバネ部材４５が配置されている。
【００４３】
バネ部材４５は、引き付勢力を有する螺旋バネからなる。一方の、可動壁面３５の下部両側には、それぞれバネ係止部４７が突設されている。螺旋バネの一端はバネ係止部４７に係止され、他端は固定壁面４２の下部に係止されている。
【００４４】
これにより、ソレノイド３７に通電がないときは、可動壁面３５の下部がバネ部材４５の引き付勢力により矢印ｄ方向に引き戻されて、可動壁面３５が固定壁面４２と面一に壁面３４を形成する。
【００４５】
この状態のときに厚手の用紙４３が排紙トレイ部３２に排出される。壁面３４は可動壁面３５と固定壁面４２が共に鉛直な平面であり、リブ等の凹凸は形成されていないので、厚手の用紙４３の後端部にリブ跡等の疵を付けて厚手の用紙４３を破損させるようなことが防止される。
【００４６】
図４(a)は、排紙積載装置３０のソレノイド３７に通電されたときの側面図であり、図４(b)はその平面図である。なお、図４(a),(b)には図３(a),(b)と同一の構成部分には図３(a),(b)と同一の番号を付与して示している。
【００４７】
図４(a),(b)に示すように、ソレノイド３７は通電によりソレノイド３７本体内に駆動子４４が退縮し、矢印ｃで示す方向に１０ｍｍ程度移動している。これに応じて、可動壁面３５の下部もバネ部材４５の引き付勢力に抗して矢印ｃ方向に１０ｍｍ程度移動する。
【００４８】
これにより、図２に示した壁面３４の中央部に、つまり両側の固定壁面４２との間に、図４(a),(b)に示すように、壁面凹部４８が形成される。この状態のときに薄手の用紙４９が排紙トレイ部３２に排出される。
【００４９】
壁面３４は、鉛直であった壁面の可動壁面３５の部分が壁面凹部４８を形成しているので、薄手の用紙４９の撓んだ後端部が壁面に擦れることなく落下し、用紙と壁面との擦れによる異音の発生が防止される。
【００５０】
図５は、上記のように厚手の用紙４３と薄手の用紙４９とを弁別して、ソレノイド３７への通電を制御し、壁面３４を全体的に鉛直に形成すること又は一部に壁面凹部４８を形成することを選択制御する図１の電装部２３の制御装置を含む回路ブロック図である。
【００５１】
図５に示すように回路ブロックは、中心回路にＣＰＵ（central processing unit)５０を有している。ＣＰＵ５０には、データバスを介してインターフェイスコントローラ（Ｉ／Ｆ＿ＣＯＮＴ）５１及びプリンタコントローラ（ＰＲ＿ＣＯＮＴ）５２が接続されている。このＰＲ＿ＣＯＮＴ５２にはプリンタ印字部５３が接続されている。
【００５２】
また、ＣＰＵ５０には、ＲＯＭ（read only memory）５４、ＥＥＰＲＯＭ（electrically erasable programmable ROM）５５、本体操作部の操作パネル５６、及び各部に配置されたセンサからの出力が入力されるセンサ部５７が接続されている。
【００５３】
ＲＯＭ５４には、システムプログラムが記憶され、ＣＰＵ５０は、このシステムプログラムに従って各部を制御する。各部はＣＰＵ５０からの制御に基づいて、それぞれ分担する処理を行う。
【００５４】
すなわち、Ｉ／Ｆ＿ＣＯＮＴ５１は、例えばパーソナルコンピュータ等のホスト機器から供給される印字データをビットマップデータに変換し、その変換したビットマップデータをフレームメモリ５８に展開する。
【００５５】
フレームメモリ５８は、ブラック（Ｋ）、マゼンタ（Ｍ）、シアン（Ｃ）、イエロー（Ｙ）の色ごとに記憶エリアが設定されている。各色の画像データはフレームメモリ５８の対応する記憶エリアに展開される。
【００５６】
フレームメモリ５８に展開された画像データはＰＲ＿ＣＯＮＴ５２に出力され、更にＰＲ＿ＣＯＮＴ５２からプリンタ印字部５３に出力される。
【００５７】
プリンタ印字部５３は、エンジン部であり、ＰＲ＿ＣＯＮＴ５２からの制御の下で、図１に示した転写ベルトユニット３の駆動ローラ１７を駆動して転写ベルト８の循環移動駆動などを行うベルト駆動部５９への駆動出力を制御する。
【００５８】
更にプリンタ印字部５３は、用紙取出ローラ２５、給送ローラ２６、待機搬送ローラ対２８、排紙ローラ対３１、感光体ドラム１０、ベルト式定着ユニット６の定着熱ローラ等の回転駆動される各部からなる搬送機構を駆動する搬送機構駆動部６１への駆動出力を制御する。
【００５９】
更にプリンタ印字部５３は、帯電ローラ１２、光書込ヘッド１３、一次転写ローラ２１、二次転写ローラ１９等の画像形成部系のプロセス負荷への電圧印加や、定着ユニット６の発熱ローラの熱源への電圧印加を行う印加電力出力部６２の出力を制御する。
【００６０】
更にプリンタ印字部５３は、ＣＰＵ５０及びセンサ部５７を介して各部のセンサから送信される出力に基づいて、例えば定着ユニット６の温度を監視し、所定の温度として設定されている例えば１００℃を閾値としてモータを遅速いずれかへ回転駆動するモータ駆動部６３を制御する。
【００６１】
更にプリンタ印字部５３は、ホスト機器から入力される印刷データ又は装置本体１の入力パネルから入力される指示データに含まれる印刷に使用する用紙が厚手の用紙（例えば坪量１００ｇ／ｍ^2以上）又は薄手の用紙（例えば坪量１００ｇ／ｍ^2未満）が指定されているかによって、ソレノイド駆動部６４に対しソレノイド３７への通電の停止又は開始を制御する。
【００６２】
また、ＰＲ＿ＣＯＮＴ５２から出力されたブラック（Ｋ）、マゼンダ（Ｍ）、シアン（Ｃ）、イエロー（Ｙ）の各色の画像データは、プリンタ印字部５３からそれぞれ対応する図１に示した光書込ヘッド１３に供給される。
【００６３】
光書込ヘッド１３は、帯電ローラ１２により初期化帯電された感光体ドラム１０の周面に、プリンタ印字部５３から供給された画像データに基づいて、光潜像を形成する。現像装置９は、感光体ドラム１０上の静電潜像をトナー像化（現像）する。
【００６４】
感光体ドラム１０上に現像されたトナー像は、上流からイエロー（Ｙ）色トナー像、マゼンタ（Ｍ）色トナー像、シアン（Ｃ）色トナー像、ブラック（Ｋ）色トナー像の順に、一次転写ローラ２１により転写ベルト８上に順次重ねて一次転写される。
【００６５】
転写ベルト８は、４色重ねて一次転写されたトナー像を、転写ベルト８を介して駆動ローラ１７に二次転写ローラ１９が圧接する二次転写部まで搬送する。一次転写されたトナー像は二次転写部で用紙に二次転写される。
【００６６】
トナー像を二次転写された用紙は定着ユニット６に送り込まれる。定着ユニット６は熱と圧力によりトナー像を用紙に定着させる。トナー像を定着された用紙は排紙ローラ対３１により排紙口３３から排紙トレイ部３２に排出され、積載面に積載される。
【００６７】
上記のように動作する本例の画像形成処理の過程において、本実施例では、用紙の厚い薄い、つまり用紙の坪量に応じて排紙トレイ部３２の積載面に排出される用紙に対し、壁面３４が鉛直性を維持したり、中央部に壁面凹部４８を形成したりする。
【００６８】
図６は、排紙トレイ部３２の後部の壁面３４に対し、用紙の坪量に応じて鉛直性を維持し又は中央部に壁面凹部４８を形成するよう制御する処理の動作を説明するフローチャートである。なお、この処理は制御装置のＣＰＵ５０により行われる処理である。
【００６９】
図６のフローチャートにおいて、ＣＰＵ５０は、パーソナルコンピュータ等のホスト機器から入力される印刷データ又は装置本体１の入力パネルから入力される指示データに基づいて、印刷に使用される用紙の種類が薄手の用紙か否か判別する（ステップＳ０１）。
【００７０】
そして、用紙の種類が薄手の用紙４９であれば（ステップＳ０１の判別がＹ）、ソレノイド駆動部６４によりソレノイド３７に通電し、駆動子４４を退縮させて、可動壁面３５を後方へ回動させ、壁面３４の中央に壁面凹部４８を形成する（ステップＳ０２、図４参照）。
【００７１】
なお、ステップＳ０２の処理では、ＣＰＵ５０は、前の処理で壁面３４に既に壁面凹部４８が形成されているときは、ソレノイド３７への通電をそのまま維持する。
【００７２】
上記の処理に続いて、ＣＰＵ５０は、給紙部５による給紙カセット２４からの用紙の給紙と、印刷済み用紙を排紙ローラ対３１により排紙トレイ部３２に排紙するまでの印刷処理を実行する（ステップＳ０４）。
【００７３】
そして、ＣＰＵ５０は、ホスト機器から入力された印刷データ又は入力パネルから入力された指示データに基づいて、印刷が終了したか否か判別する（ステップＳ０５）。そして、印刷が未だ終了していないときは（ステップＳ０５の判別がＮ）、ステップＳ０４に戻って次の印刷を実行する。
【００７４】
上記ステップＳ０１の判別で用紙の種類が薄手の用紙でないときは、ＣＰＵ５０は、用紙の種類は厚手の用紙であると判別し（ステップＳ０１の判別がＮ）、この場合は、ステップＳ０３の処理に移行し、ソレノイド駆動部６４によるソレノイド３７への通電を停止し駆動子４４を自由状態にする。
【００７５】
これにより、バネ部材４５の付勢力が機能して、可動壁面３５の下部がバネ部材４５の引き付勢力により矢印ｄ方向に引き戻されて、可動壁面３５が固定壁面４２と同一面になって壁面３４は全体として鉛直な平面を形成する（ステップＳ０３）。なお、上記の処理において、前の処理で鉛直な平面が壁面３４に既に形成されているときは、ソレノイド３７への通電停止をそのまま維持する。
【００７６】
上記に続いて、ＣＰＵ５０は、前述したステップＳ０４の印刷処理を実行し、更にステップＳ０５の判別処理を行い、印刷終了でないときはステップＳ０４の処理に戻り、印刷終了のときは、処理を終了する。
【００７７】
本発明のいくつかの実施形態を説明したが、本発明は特許請求の範囲に記載された発明とその均等の範囲に含まれる。以下に、本願出願の当初の特許請求の範囲に記載された発明を付記する。
【００７８】
[付記１]
排出された被印刷媒体を積載面を有する排紙トレイ部に積載する積載手段と、
前記排紙トレイ部の前記被印刷媒体が接する壁面の一部を前記被印刷媒体の厚さの種類に応じて変形させる変形手段と、
を備えることを特徴とする排紙積載装置。
【００７９】
[付記２]
前記壁面は、上部に前記被印刷媒体を排出する排出口を備え、前記積載面は前記被印刷媒体の排出方向前端部から前記壁面に連続する後端部まで斜め下がりに形成され、前記排出口より排出された前記被印刷媒体は前記積載面へ自然落下する、
ことを特徴とする付記１記載の排紙積載装置。
【００８０】
[付記３]
前記壁面は、固定壁面と可動壁面とで構成され、前記壁面の一部は前記可動壁面である、ことを特徴とする付記１記載の排紙積載装置。
【００８１】
[付記４]
前記可動壁面は、上部を前記固定壁面にヒンジで位置固定され、
前記変形手段は、前記可動壁面の下部に連結されたソレノイドと、前記可動壁面の下部に連結され前記ソレノイドの作用方向と逆方向に前記可動壁面の下部を付勢するバネ部材とを有する、
ことを特徴とする付記３記載の排紙積載装置。
【００８２】
［付記５］
前記変形手段は、前記厚さの種類が薄手の前記被印刷媒体が使用指定されたとき、前記ソレノイドを起動して前記可動壁面の下部を前記積載面の反対側方向に移動させ、前記厚さの種類が厚手の前記被印刷媒体が使用指定されたとき、前記ソレノイドの起動を停止し前記バネ部材の付勢力により前記可動壁面を前記固定壁面と同面の初期位置に設定する、
ことを特徴とする付記４記載の排紙積載装置。
【００８３】
[付記６]
排出された被印刷媒体を積載面を有する排紙トレイ部に積載する積載工程と、
前記排紙トレイ部の前記被印刷媒体が接する壁面の一部を前記被印刷媒体の種類に応じて変形させる変形工程と、
を有することを特徴とする排紙積載方法。
【００８４】
[付記７]
付記１乃至５のいずれか１つに記載の排紙積載装置を備えたことを特徴とする印刷装置。
【符号の説明】
【００８５】
１  フルカラー印刷装置（プリンタ）
２  印刷部
３  転写ベルトユニット
４  トナー供給部
５  給紙部
６  ベルト式定着ユニット
７  両面印刷用搬送ユニット
８  転写ベルト
８ａ  下部走行面
９（９ｙ、９ｍ、９ｃ、９ｋ）  現像装置
１０  感光体ドラム
１１  クリーナ
１２  帯電ローラ
１３  光書込ヘッド
１４  現像器
１５  現像ローラ
１６  トナーカートリッジ
１７  駆動ローラ
１８  従動ローラ
１９  二次転写ローラ
２１  一次転写ローラ
２２  ベルトクリーナ
２３  電装部
２４  給紙カセット
２５  用紙取出ローラ
２６  給送ローラ
２７  捌きローラ
２８  待機搬送ローラ対
２９  搬出ローラ対
３０  排紙積載装置
３１  排紙ローラ対
３２  排紙トレイ部
３３  排紙口
３４  壁面
３５  可動壁面
３６  ヒンジ
３７  ソレノイド
３９  返送路
３９ａ  返送開始路
３９ｂ  返送中間路
３９ｃ  返送終端路
４１（４１ａ、４１ｂ、４１ｃ、４１ｄ、４１ｅ）  返送ローラ対
４２  固定壁面
４３  厚手の用紙
４４  駆動子
４５  バネ部材
４６  配線
４７  バネ係止部
４８  壁面凹部
４９  薄手の用紙
５０  ＣＰＵ（central processing unit)
５１  インターフェイスコントローラ（Ｉ／Ｆ＿ＣＯＮＴ）
５２  プリンタコントローラ（ＰＲ＿ＣＯＮＴ）
５３  プリンタ印字部
５４  ＲＯＭ（read only memory）
５５  ＥＥＰＲＯＭ（electrically erasable programmable ROM）
５６  操作パネル
５７  センサ部
５８  フレームメモリ
５９  ベルト駆動部
６１  搬送機構駆動部
６２  印加電力出力部
６３  モータ駆動部
６４  ソレノイド駆動部
【図２】
2016183020.tif 000003
【図３】
2016183020.tif 000004
【図４】
2016183020.tif 000005
【図６】
2016183020.tif 000006
【図１】
2016183020.tif 000007
【図５】
2016183020.tif 000008